(57)【要約】【課題】  ミキサのチャンネルストリップに一のフェーダを設けながら、必要に応じて、あるチャンネルの信号レベルとセンドレベルとを同時に二のフェーダを用いて調整できるようにする。【解決手段】  下段チャンネルストリップ３６−１〜３６−１６および上段チャンネルストリップ３８−１〜３８−１６には、通常状態（ＦＬＩＰモード：オフ状態）では、それぞれ別の入力チャンネルが割り当てられており、各電動フェーダ１２，２２は、対応する入力チャンネルの信号レベルを調節する操作子になる。ここで、ＦＬＩＰキー４４を押下してＦＬＩＰモードをオン状態に変更すると、上段チャンネルストリップ３８−１〜３８−１６の電動フェーダ２２は、下段チャンネルストリップ３６−１〜３６−１６に割り当てられた入力チャンネルのセンドレベルを調節する操作子になる。【選択図】  図４
2011029816.tif 000002
【特許請求の範囲】
【請求項１】
複数の入力チャンネルの音声信号に対して、各々第１種別のパラメータと該第１種別のパラメータとは異なる第２種別のパラメータとを適用して複数のミキシングバスに供給することによりこれらミキシングバスにおいて前記複数の入力チャンネルの音声信号をミキシングするミキサに適用され、前記第１および第２種別のパラメータを調整する操作子を有するミキシング制御装置において、
各々に対して前記複数の入力チャンネルの何れかが割り当てられ、割り当てられた入力チャンネルにおける指定されたパラメータを調整するフェーダを有する複数のチャンネルストリップと、
前記各チャンネルストリップに対して割り当てる入力チャンネルを指定する入力チャンネル割当手段と、
前記各チャンネルストリップ相互間の対応関係を規定する規定手段と、
所定の切替指示を受信すると、第１のチャンネルストリップに割り当てられている入力チャンネルにおける前記第２種別のパラメータを、該第１のチャンネルストリップに対応付けられている第２のチャンネルストリップに属するフェーダに割り当てるとともに、該第１のチャンネルストリップに属するフェーダに対して、当該入力チャンネルの前記第１種別のパラメータが割り当てられるように制御する切替手段と
を有することを特徴とするミキシング制御装置。
【請求項２】
前記第２のチャンネルストリップは、前記第１のチャンネルストリップに対して、前記ミキシング制御装置の筐体の前後方向に沿って配列されているものである
ことを特徴とする請求項１記載のミキシング制御装置。
【請求項３】
複数の入力チャンネルの音声信号に対して各々第１種別のパラメータと該第１種別のパラメータとは異なる第２種別のパラメータとを適用して複数のミキシングバスに供給することによりこれらミキシングバスにおいて前記複数の入力チャンネルの音声信号をミキシングするミキサに適用され、前記第１および第２種別のパラメータを調整する操作子を有するミキシング制御装置において実行されるプログラムであって、
前記ミキシング制御装置は、
各々に対して前記複数の入力チャンネルの何れかが割り当てられ、割り当てられた入力チャンネルにおける指定されたパラメータを調整するフェーダを有する複数のチャンネルストリップと、
前記各チャンネルストリップに対して割り当てる入力チャンネルを指定する入力チャンネル割当手段と、
前記各チャンネルストリップ相互間の対応関係を規定する規定手段と
処理装置と
を有するものであり、
所定の切替指示を受信すると、第１のチャンネルストリップに割り当てられている入力チャンネルにおける前記第２種別のパラメータを、該第１のチャンネルストリップに対応付けられている第２のチャンネルストリップに属するフェーダに割り当てるとともに、該第１のチャンネルストリップに属するフェーダに対して、当該入力チャンネルの前記第１種別のパラメータが割り当てられるように制御する過程
を前記処理装置に実行させることを特徴とするプログラム。
【発明の詳細な説明】
【技術分野】
【０００１】
本発明は、コンサートホールまたはレコーディングスタジオ等における音声信号のミキシングに用いて好適なミキシング制御装置に関する。
【背景技術】
【０００２】
コンサート等に用いられるミキサの操作パネルにおいて、ある１チャンネルの音声信号を調整するためのフェーダ、ノブ、プッシュスイッチ等をまとめた単位を「チャンネルストリップ」という。フェーダは、ノブと比較すると操作性に優れ、割り当てられたパラメータを細かく、正確に、また迅速に調整できる特徴があるが、必要な設置面積が広いため、通常は一のチャンネルストリップにおいて、一のフェーダのみが設けられる。フェーダは、主として当該チャンネルの信号レベルの調整のために使用されるが、フェーダの操作性をより有効に活用できるように、フェーダの機能を他のパラメータ（主としてミキシングバスへのセンドレベル）の調整に割り当てる技術が従来より知られている。
【０００３】
特許文献１においては、「センズオンフェーダ」という機能が開始されると、フェーダで調整できるパラメータとして、対象バス（予め指定された一のミキシングバス）へのセンドレベルを割り当てる技術が記載されている。また、特許文献２においては、「フリップスイッチ」というものを設ける技術が開示されている。フリップスイッチがオン状態になると、ノブとフェーダのパラメータが入れ替えられ、その結果、フェーダにセンドレベルをアサインすることができる。
【先行技術文献】
【特許文献】
【０００４】
【特許文献１】特開２００８−０６７００７号公報
【特許文献２】特開２００８−２１９８１７号公報
【発明の概要】
【発明が解決しようとする課題】
【０００５】
しかし、上述した各技術においては、あるチャンネルにおいて二のパラメータ（例えば信号レベルとセンドレベル）をフェーダを用いて同時に調整することができず、一方のパラメータはフェーダ以外の操作子（例えばノブ）を用いて調整しなければならなかった。また、これら二のパラメータをフェーダを用いて交互に調整する場合であっても、そのたびにフェーダの機能を切り替える必要が生じるため、操作が煩雑になっていた。
この発明は上述した事情に鑑みてなされたものであり、必要に応じて、一のチャンネルにおける二のパラメータをフェーダを用いて同時に操作できるミキシング制御装置を提供することを目的としている。
【課題を解決するための手段】
【０００６】
上記課題を解決するため本発明にあっては、下記構成を具備することを特徴とする。なお、括弧内は例示である。
請求項１記載のミキシング制御装置にあっては、複数の入力チャンネルの音声信号に対して、各々第１種別のパラメータ（音量調整部１５４のゲイン）と該第１種別のパラメータとは異なる第２種別のパラメータ（センドレベル調節部１６４−１〜１６４−９６のゲイン）とを適用して複数のミキシングバス（１１６−１〜１１６−９６）に供給することによりこれらミキシングバス（１１６−１〜１１６−９６）において前記複数の入力チャンネルの音声信号をミキシングするミキサに適用され、前記第１および第２種別のパラメータを調整する操作子を有するミキシング制御装置において、各々に対して前記複数の入力チャンネルの何れかが割り当てられ、割り当てられた入力チャンネルにおける指定されたパラメータを調整するフェーダを有する複数のチャンネルストリップ（３６−１〜３６−１６，３８−１〜３８−８）と、前記各チャンネルストリップに対して割り当てる入力チャンネルを指定する入力チャンネル割当手段（４０，４２）と、前記各チャンネルストリップ相互間の対応関係を規定する規定手段（２５２）と、所定の切替指示を受信すると、第１のチャンネルストリップに割り当てられている入力チャンネルにおける前記第２種別のパラメータを、該第１のチャンネルストリップに対応付けられている第２のチャンネルストリップに属するフェーダに割り当てるとともに、該第１のチャンネルストリップに属するフェーダに対して、当該入力チャンネルの前記第１種別のパラメータが割り当てられるように制御する切替手段（ＳＰ２４，ＳＰ２６，ＳＰ２８）とを有することを特徴とする。
さらに、請求項２記載の構成にあっては、請求項１記載のミキシング制御装置において、前記第２のチャンネルストリップは、前記第１のチャンネルストリップに対して、前記ミキシング制御装置の筐体の前後方向に沿って配列されているものであることを特徴とする。
また、請求項３記載のプログラムにあっては、複数の入力チャンネルの音声信号に対して各々第１種別のパラメータ（音量調整部１５４のゲイン）と該第１種別のパラメータとは異なる第２種別のパラメータ（センドレベル調節部１６４−１〜１６４−９６のゲイン）とを適用して複数のミキシングバス（１１６−１〜１１６−９６）に供給することによりこれらミキシングバス（１１６−１〜１１６−９６）において前記複数の入力チャンネルの音声信号をミキシングするミキサに適用され、前記第１および第２種別のパラメータを調整する操作子を有するミキシング制御装置において実行されるプログラムであって、前記ミキシング制御装置は、各々に対して前記複数の入力チャンネルの何れかが割り当てられ、割り当てられた入力チャンネルにおける指定されたパラメータを調整するフェーダを有する複数のチャンネルストリップ（３６−１〜３６−１６，３８−１〜３８−８）と、前記各チャンネルストリップに対して割り当てる入力チャンネルを指定する入力チャンネル割当手段（４０，４２）と、前記各チャンネルストリップ相互間の対応関係を規定する規定手段（２５２）と処理装置（２１８）とを有するものであり、所定の切替指示を受信すると、第１のチャンネルストリップに割り当てられている入力チャンネルにおける前記第２種別のパラメータを、該第１のチャンネルストリップに対応付けられている第２のチャンネルストリップに属するフェーダに割り当てるとともに、該第１のチャンネルストリップに属するフェーダに対して、当該入力チャンネルの前記第１種別のパラメータが割り当てられるように制御する過程（ＳＰ２４，ＳＰ２６，ＳＰ２８）を前記処理装置（２１８）に実行させることを特徴とする。
【発明の効果】
【０００７】
このように本発明によれば、所定の切替指示を受信すると、第１のチャンネルストリップに割り当てられている入力チャンネルから予め指定されたミキシングバスへのセンドレベルを、該第１のチャンネルストリップに対応付けられている第２のチャンネルストリップに属するフェーダに割り当てるとともに、該第１のチャンネルストリップに属するフェーダに対して、当該入力チャンネルの信号レベルが割り当てられるように制御するから、一のチャンネルにおける二のパラメータをフェーダを用いて同時に操作することができる。
【図面の簡単な説明】
【０００８】
【図１】本発明の一実施例のデジタルミキサ１のブロック図である。
【図２】デジタルミキサ１のアルゴリズムのブロック図である。
【図３】該アルゴリズムの要部のブロック図である。
【図４】デジタルミキサ１の平面図である。
【図５】デジタルミキサ１の制御プログラムのフローチャートである。
【図６】デジタルミキサ１のデータ構造を示す図である。
【発明を実施するための形態】
【０００９】
1．実施例のハードウエア構成
次に、本発明の一実施例のデジタルミキサ１のハードウエア構成を図１を参照し説明する。
図において２０４は電動フェーダ群であり、操作者の操作に基づいて各入出力チャンネルの信号レベル等を調節する複数の電動フェーダから構成されている。また、これら電動フェーダは、バスライン２１２を介して操作コマンドが供給されると、その操作位置が自動設定されるように構成されている。
【００１０】
２０２はスイッチ群であり、各種のスイッチおよびＬＥＤキーから構成され、ＬＥＤキーに内蔵されたＬＥＤの点滅状態はバスライン２１２を介して設定される。２０６は回転ノブ群であり、各入出力チャンネルの左右の音量バランスあるいはセンドレベル等を設定する複数の回転ノブから構成されている。そして、これら回転ノブの操作量はバスライン２１２を介して出力される。２０８は波形Ｉ／Ｏ部であり、アナログ音声信号またはデジタル音声信号を入出力する。本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部２０８においては、アナログ信号とデジタル信号間の変換、複数種類のデジタル信号相互間の変換等の処理が行われる。
【００１１】
次に、２１０は信号処理部であり、一群のＤＳＰ（デジタル・シグナル・プロセッサ）によって構成されている。信号処理部２１０は、波形Ｉ／Ｏ部２０８を介して供給されたデジタル音声信号に対してミキシング処理や効果処理を施し、その結果を波形Ｉ／Ｏ部２０８に出力する。２１１はレコーダであり、デジタル音声信号の録音および再生を行う。２１４は大型表示器であり、例えば「１０２４×７６８」程度の解像度を有するフラットパネルディスプレイによって構成されている。２１５は入力装置であり、操作パネル上の各種操作子等から構成されている。上述した大型表示器２１４の上面にはタッチパネルが貼付されており、このタッチパネルも入力装置２１５に含まれる。２１６はその他Ｉ／Ｏ部であり、各種の外部機器との間でタイムコードその他の情報を入出力する。２１８はＣＰＵであり、後述する制御プログラムに基づいて、バスライン２１２を介して各部を制御する。２２０はフラッシュメモリであり、その内部のプログラム領域には上記制御プログラムが記憶されている。２２２はＲＡＭであり、ＣＰＵ２１８のワークメモリとして使用される。
【００１２】
本実施例のデジタルミキサにおいては、現在の動作を制御する各種パラメータの現在値（カレントデータ）がＲＡＭ２２２の所定領域（カレント領域）に記憶されている。すなわち、スイッチ群２０２、電動フェーダ群２０４、回転ノブ群２０６、入力装置２１５を操作することによりカレントデータの内容が更新され、また、該カレントデータに基づいて信号処理部２１０におけるミキシング処理や効果処理、大型表示器２１４における表示状態、スイッチ群２０２のＬＥＤの点滅状態、電動フェーダ群２０４の各フェーダの位置などが制御される。
【００１３】
2．ミキシングアルゴリズム構成
次に、信号処理部２１０等において実現されるアルゴリズムの内容を図２を参照し説明する。なお、当該アルゴリズムは信号処理部２１０に設定されるプログラムによって実現されるものであり、該プログラムは、ＣＰＵ２１８の制御の下、フラッシュメモリ２２０等から信号処理部２１０にロードされる。図２において１０２はアナログ入力部であり、マイクレベルまたはラインレベルのアナログ音声信号を受信すると、これをデジタル音声信号に変換し、信号処理部２１０に供給する。１０４はデジタル入力部であり、デジタル音声信号を受信すると、これを信号処理部２１０内部のフォーマットに変換する。１２８はアナログ出力部であり、信号処理部２１０から供給されたデジタル音声信号をアナログ音声信号に変換し外部に出力する。１３０はデジタル出力部であり、信号処理部２１０から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１４】
以上述べた構成は、信号処理部２１０とは別体のハードウエアである波形Ｉ／Ｏ部２０８およびここに介挿される各種カードにより実現されているが、上記以外の構成は信号処理部２１０において動作するプログラムによって実現されている。１１２は入力チャンネル調整部であり、操作パネルの電動フェーダおよび操作子の操作に基づいて、最大「１２８」チャンネルの入力チャンネルに対して音量・音質等の調整を行う。１１０はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。
【００１５】
１１４はエフェクトリターン部であり、「４」チャンネルの音声信号に対して音量・音質等の調整を行う。なお、エフェクトリターン部１１４は、主としてエフェクト処理の施された音声信号に割り当てられる。１０８は入力パッチ部であり、入力部１０２，１０４等の複数の入力ポートから供給されたデジタル音声信号を、ステレオ入力チャンネル調整部１１０、入力チャンネル調整部１１２、エフェクトリターン部１１４の任意の入力チャンネルに割り当てる。１０６は内蔵エフェクタ部であり、最大「８」ユニットのエフェクタから成り、供給された音声信号に対して、リバーブ、ディレイ、モジュレーション等のエフェクト処理を施し、その結果を入力パッチ部１０８を介してエフェクトリターン部１１４等に供給する。
【００１６】
１１６はＭＩＸバス群であり、「９６」系統のＭＩＸバス１１６−１〜１１６−９６（図３参照）から構成されている。各ＭＩＸバスにおいては、各入力チャンネル、各ステレオ入力チャンネルおよび各エフェクトリターン（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベルやフェードモード（プリフェード／ポストフェード）等も系統毎に独立して設定することができる。１１８はステレオバスであり、「１」系統のステレオバスから構成されている。ステレオバスの構成は上記ＭＩＸバスと同様である。
【００１７】
１２０はステレオ出力チャンネル部であり、該ステレオバスにおけるミキシング結果のレベル調節および音質調節を行なう。１２２はＭＩＸ出力チャンネル部であり、上記各ＭＩＸバスにおけるミキシング結果のレベル調節および音質調節を行なう。１２６は出力パッチ部であり、ステレオ出力チャンネル部１２０およびＭＩＸ出力チャンネル部１２２の出力信号を、各出力部１２８，１３０または上記内蔵エフェクタ部１０６の任意のユニットに割り当てる。
【００１８】
次に、入力チャンネル調整部１１２におけるアルゴリズム構成の詳細を図３を参照し説明する。図において１１２−ｎは第ｎ入力チャンネル調整部であり、第ｎ入力チャンネルにおける音質・音量調整を行う。第ｎ入力チャンネル調整部１１２−ｎの内部において１５０は音質調整部であり、第ｎ入力チャンネルにおけるリミッタ処理、コンプレッサ処理、イコライザ処理等を行う。１５２はチャンネル遅延部であり、必要に応じて第ｎ入力チャンネルの音声信号を遅延させる。１５４は音量調整部であり、第ｎ入力チャンネルの信号レベル（音声信号のゲイン）を調節する。１５６はオンオフ切換部であり、第ｎ入力チャンネル全体のオンオフを切り換える。
【００１９】
１６２−１〜１６２−９６は信号切換部であり、第ｎ入力チャンネルからＭＩＸバス１１６−１〜１１６−９６に各々出力され得る音声信号をフェードモードに応じて切り換える。すなわち、フェードモードが「プリフェード」に設定されると、チャンネル遅延部１５２の出力信号が選択され、「ポストフェード」に設定されるとオンオフ切換部１５６の出力信号が選択される。１６４−１〜１６４−９６はセンドレベル調節部であり、各ＭＩＸバスに出力する信号のゲインすなわちセンドレベルを調節する。１６６−１〜１６６−９６はセンドオンオフ切換部であり、各ＭＩＸバスに対する音声信号供給のオン／オフ状態を設定する。１５８はステレオセンドオンオフ切換部であり、第ｎ入力チャンネルの音声信号をステレオバス１１８に供給するか否かを切り換える。１６０はＰＡＮ設定部であり、該音声信号をステレオバス１１８に供給する際の左右の音量バランスを設定する。
【００２０】
3．パネル構成
次に、デジタルミキサ１の操作パネルの平面図を図４を参照し説明する。
図４において、操作パネル上には複数のチャンネルストリップが配置される。チャンネルストリップとは１つのチャンネルの音声信号を調整するための操作子のまとまりであり、典型的に、１つのチャンネルストリップはフェーダを１つのみ持つ。また、１つのチャンネルストリップに１つのチャンネルを操作対象チャンネルとして割り当てる。そして、チャンネルストリップ内の各種操作子を使って、操作対象チャンネルの各種パラメータの現在値を調整する。
３２はメイン・チャンネルストリップ部であり、左右方向に配列された「１６」のメイン・チャンネルストリップ３２−１〜３２−１６から構成されている。メイン・チャンネルストリップ３２−１６の内部において、２は電動フェーダであり、メイン・チャンネルストリップ３２−１６に割り当てられた入出力チャンネルの信号レベル等を調節する。６はオン／オフ・キーであり、対応する入出力チャンネルのオンオフ切換部１５６におけるオン／オフ状態を設定する。４はＳＥＬキーであり、メイン・チャンネルストリップ３２−１６に係る入出力チャンネルを択一的に「選択状態」に設定する。この選択された入出力チャンネルを「選択チャンネル」という。
【００２１】
ここで「選択状態」とは、音質調整部１５０や信号切換部１６２−１〜１６２−９６等に対する詳細な設定を行うべきチャンネルとして選択された状態の意である。また、８は回転ノブであり、当該入出力チャンネルのＰＡＮ設定部１６０における左右の音量バランス、あるいは指定されたＭＩＸバス１１６−ｍ（１≦ｍ≦９６）へのセンドレベル等を設定する。以上、メイン・チャンネルストリップ３２−１６の構成について詳述したが、他のメイン・チャンネルストリップ３２−１〜３２−１５もこれと同様に構成されている。
【００２２】
次に、３６は下段チャンネルストリップ部であり、左右方向に配列された「１６」の下段チャンネルストリップ３６−１〜３６−１６から構成されている。下段チャンネルストリップ３６−１６の内部において、１２は電動フェーダ、１４はＳＥＬキー、１６はオン／オフ・キーであり、上記電動フェーダ２、ＳＥＬキー４およびオン／オフ・キー１６と同様に構成されている。また、他の下段チャンネルストリップ３６−１〜３６−１５も、下段チャンネルストリップ３６−１６と同様に構成されている。
【００２３】
次に、下段チャンネルストリップ部３６の後方において、３８は上段チャンネルストリップ部であり、左右方向に配列された「１６」の上段チャンネルストリップ３８−１〜３８−１６から構成されている。上段チャンネルストリップ３８−１６の内部において、２２は電動フェーダ、２４はＳＥＬキー、２６はオン／オフ・キーであり、上記電動フェーダ２、ＳＥＬキー４およびオン／オフ・キー１６と同様に構成されている。また、他の上段チャンネルストリップ３８−１〜３８−１５も、上段チャンネルストリップ３８−１６と同様に構成されている。上段チャンネルストリップ３８−１〜３８−１６は、各々下段チャンネルストリップ３６−１〜３６−１６と同一の幅を有し、デジタルミキサ１の正面視において、前後方向に沿って（左右方向の位置が同一になるように）配列されている。
【００２４】
上述したように、デジタルミキサ１は「１２８」入力チャンネルを有しているが、これら入力チャンネルは「１６」チャンネルづつの「８」レイヤに分割される。同様に、「９６」ＭＩＸ出力チャンネルは「１６」チャンネルづつの「６」レイヤに分割される。そして、上記各チャンネルストリップ部３２，３６，３８には、何れかのレイヤを任意に割り当てることができる。３０は割当選択部であり、メイン・チャンネルストリップ部３２に割り当てるレイヤを選択する複数のキーから構成されている。当該キーのいずれかが操作されたことが検出されると、当該キーで選択されたレイヤがメイン・チャンネルストリップ部３２に割り当てられる。つまり、当該選択されたレイヤに含まれる１６個のチャンネルの１つずつが、メイン・チャンネルストリップ部３２の１６個のチャンネルストリップの１つずつに、操作対象チャンネルとして割り当てられる。各チャンネルストリップに現在割り当てられている操作対象チャンネルは、チャンネルストリップごとのアサインデータとしてＲＡＭ２２２に記録される。さらに、アサインデータには、チャンネルストリップに属する各操作子が、現在操作対象としているパラメータの種別も記録される。当該操作対象のパラメータ種別は新たなレイヤが割り当てられたときに初期設定されるものであり、例えば、電動フェーダのパラメータ種別には初期設定として信号レベルが割り当てられる。
３４は選択チャンネル操作部であり、選択チャンネル（ＳＥＬキー４，１４，２４によって選択されたチャンネル）における音質調整部１５０（図３参照）のパラメータ等を設定する複数の回転ノブおよびキーなどから構成されている。
【００２５】
大型表示器２１４の左端部分は割当領域２１４ａになっている。ここには、上述した割当選択部３０と同様の機能を有し、上段チャンネルストリップ部３８に割り当てるレイヤを選択する割当選択部４０と、同様に下段チャンネルストリップ部３６に割り当てるレイヤを選択する割当選択部４２と、ＦＬＩＰキー４４とが表示されている。割当選択部４０、４２の機能は、上記の割当選択部３０と同様であり、割当選択部４０、４２の各キーの操作に応じて、上段チャンネルストリップ部３８、下段チャンネルストリップ部３６へレイヤを割り当てる（各チャンネルストリップの操作対象のチャンネルやパラメータの種別を変更してアサインデータを書き替える）。ＦＬＩＰキー４４は、ＦＬＩＰモード（詳細は後述する）のオン／オフ状態をトグルで切り替えるものであり、ＦＬＩＰモードがオン状態であれば点灯し、オフ状態であれば消灯する。
【００２６】
4．実施例のデータ構成
ＲＡＭ２２２には図６に示す切替テーブル２５２が記録されている。切替テーブル２５２は、ＦＬＩＰモードの切替に伴うアサインデータの変更内容をあらわすデータである。この図６を参照しつつ切替テーブル２５２の詳細を説明する。「Ｃｈストリップ」欄には、ＦＬＩＰモードの切替に伴ってアサインデータが変更されるチャンネルストリップ（変更対象チャンネルストリップ）が記録されている。本実施例では、上段チャンネルストリップを変更対象チャンネルストリップとしており、上段チャンネルストリップを示す識別番号「３８−１〜３８−１６」が「Ｃｈストリップ」欄に記録されている。
【００２７】
「ＦＬＩＰモードＯＮ」欄には、ＦＬＩＰモードがオフからオンへ切り替えられたときの、アサインデータの変更内容（変更対象チャンネルストリップへ新たに割り当てるチャンネルとパラメータ種別）が記録されている。
本実施例では、パネル上において前後方向に並ぶ１つずつの上段チャンネルストリップと下段チャンネルストリップとを対応付けている。そして、ＦＬＩＰモードオン中は、変更対象チャンネルストリップ（上段チャンネルストリップ）に、対応付けられているチャンネルストリップ（下段チャンネルストリップ）の操作対象チャンネルを割り当てるとともに、変更対象チャンネルストリップの電動フェーダに信号レベルとは異なる他のパラメータ種別（センドレベル）を割り当てるものとしている。
【００２８】
これに伴い、「ＦＬＩＰモードＯＮ」欄の「ＣＨ」欄には新たに割り当てるチャンネルとして、変更対象チャンネルストリップに対応付けられている下段チャンネルストリップの操作対象チャンネルを示す識別番号「＊３６−１〜＊３６−１６」が記録されている。ここで識別番号「＊３６−１〜＊３６−１６」は下段チャンネルストリップ３６−１〜３６−１６のチャンネルストリップそれぞれに現在割り当てられている操作対象チャンネルのチャンネル番号を示す情報である。また、「パラメータ」欄には電動フェーダへ新たに割り当てる他のパラメータ種別として、「センドレベル」が記録されている。ここでは一例として「第２ＭＩＸバスへのセンドレベル」が記録されているが、センドレベルのバス種類はユーザが任意に指定できる。
【００２９】
「ＦＬＩＰモードＯＦＦ」欄には、ＦＬＩＰモードがオンからオフへ切り替えられたときの、アサインデータの変更内容（変更対象チャンネルストリップへ新たに割り当てるチャンネルとパラメータ種別）が記録されている。
本実施例では、ＦＬＩＰモードオフ中は、変更対象チャンネルストリップに、割当選択部のキーを使ってユーザが選択したチャンネルとパラメータ種別を割り当てるものとしている（対応付けられているチャンネルストリップの影響を受けない）。これに伴い、「ＦＬＩＰモードＯＦＦ」欄の「ＣＨ」欄には新たに割り当てるチャンネルとして、ユーザが選択したレイヤ、例えば第１７〜第３２の入力チャンネルを示す入力チャンネル番号「Ｃｈ１７〜Ｃｈ３２」が記録されている。また、「パラメータ」欄には電動フェーダへ新たに割り当てるパラメータ種別として、レイヤ切替時に初期設定される信号レベルが記録されている。
【００３０】
また、本実施例では、各チャンネルストリップのレイヤ切替はＦＬＩＰモードオフ中にのみ可能であるものとしている。そして、ＦＬＩＰモードオフ中に、割当選択部４０のいずれかのキーが操作されたことが検出されると、当該キーで選択されたレイヤが上段チャンネルストリップ３８−１〜３８−１６の操作対象チャンネルとなるように、上段チャンネルストリップ３８−１〜３８−１６のアサインデータが書き替えられる。さらに、当該上段チャンネルストリップ３８−１〜３８−１６の書き替え後の操作対象チャンネルが、切替テーブル２５２の「ＦＬＩＰモードＯＦＦ」欄の「ＣＨ」欄へ上書きされる。
【００３１】
5．実施例の動作
まず、何れかの電動フェーダ２，１２，２２が操作されると、図５(a)に示すフェーダ操作イベントルーチンが起動される。図において処理がステップＳＰ１０に進むと、当該操作された電動フェーダが属するチャンネルストリップのアサインデータに基づいて、当該電動フェーダの操作対象として割り当てられたチャンネルとパラメータ種別とが特定され、カレント領域内において、当該操作対象のパラメータ値が、該電動フェーダの操作量に基づいて調整される。例えば、上段チャンネルストリップ（変更対象チャンネルストリップ）の電動フェーダが操作された場合は、ＦＬＩＰモードオフ中なら、レイヤ切替によって当該チャンネルストリップに割り当てられている操作対象チャンネルの信号レベルの現在値が調整され、ＦＬＩＰモードオン中なら、当該上段チャンネルストリップに対応付けられている下段チャンネルストリップの操作対象チャンネルのセンドレベルの現在値が調整される。また、下段チャンネルストリップ（変更対象ではないチャンネルストリップ）の電動フェーダが操作された場合は、ＦＬＩＰモードがオンオフのいずれであっても、レイヤ切替によって当該チャンネルストリップに割り当てられている変更対象チャンネルの信号レベルが調整される。
【００３２】
また、ＦＬＩＰキー４４が押下されると、図５(b)に示すイベントルーチンが起動される。図において処理がステップＳＰ２０に進むと、それ以前のＦＬＩＰモード（オンまたはオフ）を反転することにより、新たなＦＬＩＰモードが設定される。次に、処理がステップＳＰ２２に進むと、新たなＦＬＩＰモードが「オン状態」であるか否かが反転される。
【００３３】
ここで「ＹＥＳ」と判定されると処理はステップＳＰ２４に進み、上段チャンネルストリップ３８−１〜３８−１６に対して、切替テーブル２５２の右欄（ＦＬＩＰモード＝ＯＮ）に規定されたチャンネル番号ＣＨが割り当てられるように、各変更対象チャンネルストリップ（上段チャンネルストリップ）のアサインデータの内容が変更される。図６の例にあっては、割り当てられるチャンネルは、「＊３６−１〜＊３６−１６」、すなわち対応する（直下に位置する）下段チャンネルストリップ３６−１〜３６−１６の操作対象のチャンネルである。次に、処理がステップＳＰ２６に進むと、上段チャンネルストリップ３８−１〜３８−１６の各電動フェーダ２２に対して、切替テーブル２５２の右欄（ＦＬＩＰモード＝ＯＮ）に規定されたパラメータ種別（典型的にはセンドレベル）が割り当てられるように、各変更対象チャンネルストリップ（上段チャンネルストリップ）のアサインデータの内容が変更される。図６の例にあっては、割り当てられるパラメータ種別は「第２ＭＩＸバス（１１６−２）へのセンドレベル」である。ここで、下段チャンネルストリップについては、その操作対象のチャンネルが対応する上段チャンネルストリップと同じとなり、その電動フェーダに割り当てるパラメータ種別が対応する上段チャンネルストリップの電動フェーダに割り当てられるパラメータ種別と異なっているように（典型的には信号レベルとなるように）制御する。典型的には、下段チャンネルストリップのアサインデータを現在の内容のまま保持する。
【００３４】
次に、処理がステップＳＰ２８に進むと、上記ステップＳＰ２４，ＳＰ２６において割り当てられたチャンネル番号ＣＨおよびパラメータ種別に応じたパラメータ値が、カレント領域から読み出され、当該パラメータ値を表す位置に、各電動フェーダ２２が移動される。上記例にあっては、「下段チャンネルストリップ３６−１〜３６−１６の操作対象のチャンネルから第２ＭＩＸバス（１１６−２）へのセンドレベル」に対応する位置に各電動フェーダ２２が移動されることになる。また、ＳＥＬキー２４およびオン／オフ・キー２６の点灯／消灯状態も、上記ステップＳＰ２４において割り当てられたチャンネル番号ＣＨのパラメータに基づいて変更される。以上のステップにより、本ルーチンの処理が終了する。
【００３５】
一方、新たに設定されたＦＬＩＰモードが「オフ状態」であった場合には、上記ステップＳＰ２２において「ＮＯ」と判定され、処理はステップＳＰ３０に進む。ここでは、上段チャンネルストリップ３８−１〜３８−１６の各電動フェーダ２２に対して、切替テーブル２５２の左欄（ＦＬＩＰモード＝ＯＦＦ）に規定されたチャンネル番号ＣＨが割り当てられるように、各変更対象チャンネルストリップ（上段チャンネルストリップ）のアサインデータの内容が変更される。割り当てられるチャンネルは、先にＦＬＩＰモードがオフ状態であったときのチャンネルと同一であり、図６の例にあっては、「第１７〜第３２入力チャンネル」である。次に、処理がステップＳＰ３２に進むと、上段チャンネルストリップ３８−１〜３８−１６の各電動フェーダ２２に対して、切替テーブル２５２の左欄（ＦＬＩＰモード＝ＯＦＦ）に規定されたパラメータ種別（典型的には信号レベル）が割り当てられるように、各変更対象チャンネルストリップ（上段チャンネルストリップ）のアサインデータの内容が変更される。図６の例にあっては、割り当てられるパラメータ種別は「信号レベル」である。
【００３６】
次に、処理がステップＳＰ３４に進むと、上記ステップＳＰ３０，ＳＰ３２において割り当てられたチャンネル番号ＣＨおよびパラメータ種別に応じたパラメータ値がカレント領域から読み出され、当該パラメータ値を表す位置に、各電動フェーダ２２が移動される。上記例にあっては、「第１７〜第３２入力チャンネルの信号レベル」に対応する位置に各電動フェーダ２２が移動されることになる。また、ＳＥＬキー２４およびオン／オフ・キー２６の点灯／消灯状態も、上記ステップＳＰ３０において割り当てられたチャンネル番号ＣＨのパラメータに基づいて変更される。以上のステップにより、本ルーチンの処理が終了する。
【００３７】
6．変形例
本発明は上述した実施例に限定されるものではなく、例えば以下のように種々の変形が可能である。
(1)上記実施例においては、デジタルミキサ１上で動作するプログラムによって各種処理を実行したが、このプログラムのみをＣＤ−ＲＯＭ、メモリカード等の記録媒体に格納して頒布し、あるいは伝送路を通じて頒布することもできる。
【００３８】
(2)上記実施例のデジタルミキサ１においては、同一の筐体内にスイッチ群２０２、電動フェーダ群２０４、回転ノブ群２０６および信号処理部２１０を格納したが、デジタルミキサ１を、信号処理部２１０を格納する「エンジン」と、スイッチ群２０２、電動フェーダ群２０４および回転ノブ群２０６等を格納する「コンソール」とに分割してもよい。この場合、本発明の「ミキシング制御装置」は、主としてコンソールにおいて実現されることになる。
【００３９】
(3)上記実施例においては、ＦＬＩＰモードオン中に割当操作部３０、４０、４２を使って各チャンネルストリップのレイヤを切り替えられないものとしたが、ＦＬＩＰモードオン中にレイヤを切り替えられてもよい。その場合、レイヤの切替操作があったときに、新たなレイヤ割当（チャンネル割当）を切替テーブル２５２の内容に直ちに反映してその新たな切替テーブル２５２の内容に基づいて各チャンネルストリップのアサインデータを直ちに変更してもよいし、あるいは、ＦＬＩＰモードをオフに切り替えて新たなレイヤ割当を行ってもよい。
【００４０】
(4)切替テーブル２５２は、ＦＬＩＰモードのオン／オフ切替に伴うアサインデータの変更内容、あるいはＦＬＩＰモードのオン／オフ切替に伴ってアサインデータを変更するときにアサインデータが関係を持って変更されるように対応付けられているチャンネルストリップ群（チャンネルストリップ相互間の対応関係）を表すものであり、その内容は上記実施例のものに限定されるものではない。切替テーブル２５２の内容を適宜に変更して、変更対象チャンネルストリップを下段チャンネルストリップやメイン・チャンネルストリップとしたり、変更対象チャンネルストリップに対応付けるチャンネルストリップを上段チャンネルストリップやメイン・チャンネルストリップとしたり、ＦＬＩＰモードのオンオフ時に電動フェーダへ割り当てるパラメータ種別を信号レベルやセンドレベルではない他のパラメータ種別にしたり（ただしＦＬＩＰモードのオンオフではそれぞれ異なるパラメータ種別であることを条件とする）、1つの変更対象チャンネルストリップに複数のチャンネルストリップを対応付けたりするものであってもよい。また、ユーザの変更操作に従って切替テーブル２５２の内容を変更する切替テーブル変更機能を設けることもできる。
【００４１】
(5)ＦＬＩＰモードがオンされたときにアサインデータを切替テーブル内のＦＬＩＰモードオンの内容へ変更するチャンネルストリップは、上記実施例のように上段チャンネルストリップ部３８の全チャンネルストリップに限るものではない。上段チャンネルストリップ部のうちの（ユーザが指定した）一部のチャンネルストリップのみアサインデータを切替テーブル内のＦＬＩＰモードオンの内容へ変更し、（ユーザに指定されなかった）残りのチャンネルストリップについては切替テーブル内のＦＬＩＰモードオンの内容を反映しない（アサインデータの内容を変更せず現状内容を保持する）ようにしてもよい。
【００４２】
(6)また、上記実施例においては、ＦＬＩＰモードのオン／オフ状態に応じて、上段チャンネルストリップ３８−１〜３８−１６内の電動フェーダ２２以外の構成要素（ＳＥＬキー２４およびオン／オフ・キー２６）の状態も切り替えたが、電動フェーダ２２以外の構成要素については、ＦＬＩＰモードのオン／オフ状態に応じて機能が切り替わらないようにしてもよい。すなわち、電動フェーダ２２以外の構成要素については、切替テーブル２５２（図６）のＦＬＩＰモード：オフ状態におけるチャンネル番号ＣＨが常に適用されるようにしてもよい。
【符号の説明】
【００４３】
１：デジタルミキサ、２，１２，２２：電動フェーダ、４，１４，２４：ＳＥＬキー、６，１６，２６：オン／オフ・キー、８：回転ノブ、３０，４０，４２：割当選択部（入力チャンネル割当手段）、３２：メイン・チャンネルストリップ部、３２−１〜３２−１６：メイン・チャンネルストリップ、３４：選択チャンネル操作部、３６：下段チャンネルストリップ部、３６−１〜３６−１６：下段チャンネルストリップ、３８：上段チャンネルストリップ部、３８−１〜３８−８：上段チャンネルストリップ、４４：ＦＬＩＰキー、１０２：アナログ入力部、１０２，１０４：入力部、１０４：デジタル入力部、１０６：内蔵エフェクタ部、１０８：入力パッチ部、１１０：ステレオ入力チャンネル調整部、１１２：入力チャンネル調整部、１１２−ｎ：第ｎ入力チャンネル調整部、１１４：エフェクトリターン部、１１６：ＭＩＸバス群、１１６−１〜１１６−９６：ＭＩＸバス（ミキシングバス）、１１８：ステレオバス、１２０：ステレオ出力チャンネル部、１２２：ＭＩＸ出力チャンネル部、１２８：アナログ出力部、１５０：音質調整部、１５２：チャンネル遅延部、１５４：音量調整部、１５６：オンオフ切換部、１５８：ステレオセンドオンオフ切換部、１６０：ＰＡＮ設定部、１６２−１〜１６２−９６：信号切換部、１６４−１〜１６４−９６：センドレベル調節部、１６６−１〜１６６−９６：センドオンオフ切換部、２０２：スイッチ群、２０４：電動フェーダ群、２０６：回転ノブ群、２０８：波形Ｉ／Ｏ部、２１０：信号処理部、２１１：レコーダ、２１２：バスライン、２１４：大型表示器、２１４ａ：割当領域、２１５：入力装置、２１６：その他Ｉ／Ｏ部、２１８：ＣＰＵ（処理装置）、２２０：フラッシュメモリ、２２２：ＲＡＭ、２５２：上段用フェーダ機能テーブル。
【図１】
2011029816.tif 000003
【図２】
2011029816.tif 000004
【図３】
2011029816.tif 000005
【図４】
2011029816.tif 000006
【図５】
2011029816.tif 000007
【図６】
2011029816.tif 000008